(57)【要約】【課題】操作フィーリングを良好に維持しながら、操作部材の美観を損なうことなく、しかもタッチパネル以外の操作部に広く適用可能な車両用操作部材の汚れ除去機構を提供する。【解決手段】車両用操作部材の汚れ除去機構は、カバー２１および汚れ除去部材３１を備える。カバー２１は、タッチ操作部１１を被覆可能に設けられ、タッチ操作部１１の使用時には同操作部１１を開状態とするように所定の収納位置に向けて開動作され、タッチ操作部１１の未使用時には同操作部１１を閉状態とするように所定の被覆位置に向けて閉動作される。汚れ除去部材３１は、カバー２１に設けられ、カバー２１の収納位置から被覆位置、または被覆位置から収納位置に向けての動作に追従してタッチ操作部１１の操作面１１ａと摺接し同操作面１１ａの汚れを除去する。【選択図】図１
2008235194.tif 000002
【特許請求の範囲】
【請求項１】
操作部材の操作部を被覆可能に設けられ、前記操作部の使用時には同操作部を開状態とするように所定の収納位置に向けて開動作され、前記操作部の未使用時には同操作部を閉状態とするように所定の被覆位置に向けて閉動作されるカバーを備え、
前記カバーには、同カバーの前記収納位置から前記被覆位置、または前記被覆位置から前記収納位置に向けての動作に追従して前記操作部の操作面と摺接し同操作面の汚れを除去する汚れ除去部材が設けられていることを特徴とする車両用操作部材の汚れ除去機構。
【請求項２】
前記操作部は、平面状または曲面状のタッチ操作部であり、前記汚れ除去部材は、前記カバーの開閉動作に伴って前記タッチ操作部の操作面と摺接する請求項１に記載の車両用操作部材の汚れ除去機構。
【請求項３】
前記操作部は、突設されたボタン操作部であり、前記汚れ除去部材は、前記カバーの開閉動作に伴って前記ボタン操作部を押し込みながら同ボタン操作部の操作面を乗り越えるものである請求項１に記載の車両用操作部材の汚れ除去機構。
【請求項４】
前記操作部は、突設されたボタン操作部であり、前記汚れ除去部材は、前記カバーの開閉動作に伴って前記ボタン操作部の操作面を乗り越えるために変形可能なものである請求項１に記載の車両用操作部材の汚れ除去機構。
【請求項５】
前記操作部は、突設されたボタン操作部であり、前記カバーの軌道は、ガイド部材により前記汚れ除去部材を前記ボタン操作部の操作面に沿って摺動可能に設定されている請求項１に記載の車両用操作部材の汚れ除去機構。
【請求項６】
操作部材が、使用時には突出した状態の使用位置にあり未使用時には格納部内の格納位置に格納される操作部を備え、前記格納部には、前記操作部が前記使用位置から前記格納位置、または前記格納位置から前記使用位置に向けて動作するとき前記操作部の操作側面と摺接して同操作側面の汚れを除去する側面汚れ除去部材が設けられていることを特徴とする車両用操作部材の汚れ除去機構。
【請求項７】
前記格納位置に格納された操作部を被覆可能に設けられ、前記操作部の使用時には同操作部を開状態とするように所定の収納位置に向けて開動作され、前記操作部の未使用時には同操作部を閉状態とするように所定の被覆位置に向けて閉動作されるカバーを備え、前記カバーには、同カバーの前記収納位置から前記被覆位置、または前記被覆位置から前記収納位置に向けての動作に追従して前記操作部の端面と摺接し同端面の汚れを除去する汚れ除去部材が設けられている請求項６に記載の車両用操作部材の汚れ除去機構。
【請求項８】
前記操作部材は、装飾面を有するパネル部を含んで構成され、前記カバーは、前記パネル部を被覆可能に設けられ、前記汚れ除去部材は、前記カバーの開閉動作に伴って前記パネル部の装飾面の汚れを除去可能とされている請求項１〜５，７のいずれか１項に記載の車両用操作部材の汚れ除去機構。
【発明の詳細な説明】
【技術分野】
【０００１】
本発明は、汚れ除去機構に関し、例えば操作スイッチ等の車両用操作部材の汚れを除去可能な車両用操作部材の汚れ除去機構に関する。
【背景技術】
【０００２】
従来、この種の操作部材の汚れ除去機構として、例えば下記特許文献１に記載されているように、操作部としてのタッチパネルを保護する透明な保護シートの表面を清掃するための清掃手段が知られている。この特許文献１に記載された操作部材の汚れ除去機構においては、タッチパネルのパネル面上に保護シートが配置されていて、保護シートを介してタッチパネルを押圧操作するように構成されている。そして、保護シートは、例えば一人の操作者による操作が終了した時点で移動手段により所定量だけ巻き取られ、その巻き取り過程で、固定配置された清掃手段と摺接して表面に付着した汚れが除去されるようになっている。
【特許文献１】特開平１０−３１４３１号公報
【発明の開示】
【発明が解決しようとする課題】
【０００３】
しかしながら、上記特許文献１に記載された操作部材の汚れ除去機構では、保護シートを介してタッチパネルを押圧操作しなければならないので、操作フィーリングが悪化するという問題があった。また、操作部材が装飾性を有していても、保護シートが設けられることで、美観が損なわれるという問題もあった。また、清掃手段が固定配置されているため、平面形状以外のタッチパネルへの適用が困難であるという問題もあった。これらの問題は、操作部材が車両用であっても同様に起こり得る。
【０００４】
本発明の課題は、操作フィーリングを良好に維持しながら、操作部材の美観を損なうことなく、しかもタッチパネル以外の操作部に広く適用可能な車両用操作部材の汚れ除去機構を提供することにある。
【課題を解決するための手段及び発明の効果】
【０００５】
上記課題を解決するために、本発明による車両用操作部材の汚れ除去機構は、操作部材の操作部を被覆可能に設けられ、前記操作部の使用時には同操作部を開状態とするように所定の収納位置に向けて開動作され、前記操作部の未使用時には同操作部を閉状態とするように所定の被覆位置に向けて閉動作されるカバーを備え、前記カバーには、同カバーの前記収納位置から前記被覆位置、または前記被覆位置から前記収納位置に向けての動作に追従して前記操作部の操作面と摺接し同操作面の汚れを除去する汚れ除去部材が設けられていることを特徴とする。
【０００６】
この車両用操作部材の汚れ除去機構では、操作部の使用時にはカバーが収納位置に収納されており、操作部が開状態にある。このため、操作部を直接操作することができ、操作フィーリングを良好に確保することができる。また、操作部の使用後、カバーを被覆位置に移動させる際には汚れ除去部材が操作部と摺接するので、操作部に付着した汚れを適切に除去することができる。また、操作部の未使用時にはカバーが被覆位置にあり、操作部が閉状態にある。このため、操作部に埃、塵等が付着することを防止することができる。
【０００７】
本発明の実施に際して、前記操作部は、平面状または曲面状のタッチ操作部であり、前記汚れ除去部材は、前記カバーの開閉動作に伴って前記タッチ操作部の操作面と摺接することも可能である。これによれば、汚れ除去部材をカバーと共にタッチ操作部の操作面に沿って移動させることで、平面状に限らず曲面状の操作面に対しても適切に摺接させることができる。
【０００８】
また、本発明の実施に際して、前記操作部は、突設されたボタン操作部であり、前記汚れ除去部材は、前記カバーの開閉動作に伴って前記ボタン操作部を押し込みながら同ボタン操作部の操作面を乗り越えるものであることも可能である。これによれば、押しボタン操作部の押し込み動作分を見込んで、汚れ除去部材として比較的硬質の材料を用いることができる。
【０００９】
また、本発明の実施に際して、前記操作部は、突設されたボタン操作部であり、前記汚れ除去部材は、前記カバーの開閉動作に伴って前記ボタン操作部の操作面を乗り越えるために変形可能なものであることも可能である。これによれば、突設されたボタン操作部が例えば押し込み動作可能でなくても、汚れ除去部材の変形を利用してボタン操作部の汚れを良好に除去することができる。
【００１０】
また、本発明の実施に際して、前記操作部は、突設されたボタン操作部であり、前記カバーの軌道は、ガイド部材により前記汚れ除去部材を前記ボタン操作部の操作面に沿って摺動可能に設定されていることも可能である。これによれば、ガイド部材によりカバーの軌道が変更されるように構成することで、突設されたボタン操作部が例えば押し込み動作可能でなくても、汚れ除去部材として比較的硬い材質のものを用いることができる。
【００１１】
また、上記課題を解決するために、本発明による車両用操作部材の汚れ除去機構は、操作部材が、使用時には突出した状態の使用位置にあり未使用時には格納部内の格納位置に格納される操作部を備え、前記格納部には、前記操作部が前記使用位置から前記格納位置、または前記格納位置から前記使用位置に向けて動作するとき前記操作部の操作側面と摺接して同操作側面の汚れを除去する側面汚れ除去部材が設けられていることを特徴とする。
【００１２】
この車両用操作部材の汚れ除去機構では、操作部の使用後、同操作部が使用位置から格納位置に向けて動作するとき、または使用開始時に同操作部が格納位置から使用位置に向けて動作するとき、格納部に設けられた側面汚れ除去部材が操作部の操作側面と摺接するので、操作部の操作側面に付着した汚れを適切に除去することができる。
【００１３】
また、本発明の実施に際して、前記格納位置に格納された操作部を被覆可能に設けられ、前記操作部の使用時には同操作部を開状態とするように所定の収納位置に向けて開動作され、前記操作部の未使用時には同操作部を閉状態とするように所定の被覆位置に向けて閉動作されるカバーを備え、前記カバーには、同カバーの前記収納位置から前記被覆位置、または前記被覆位置から前記収納位置に向けての動作に追従して前記操作部の端面と摺接し同端面の汚れを除去する汚れ除去部材が設けられていることも可能である。
【００１４】
これによれば、操作部の未使用時にはカバーが被覆位置にあり、操作部が完全に閉状態となる。このため、操作部の操作側面のみならず、その端面に埃、塵等が付着することを防止することができる。
【００１５】
また、本発明の実施に際して、前記操作部材は、装飾面を有するパネル部を含んで構成され、前記カバーは、前記パネル部を被覆可能に設けられ、前記汚れ除去部材は、前記カバーの開閉動作に伴って前記パネル部の装飾面の汚れを除去可能とされていることも可能である。
【００１６】
近年、操作部材の周囲に設けられるパネル部は、例えばピアノブラック塗装（艶のある黒色）や、メッキ表面処理（金色、銀色など）など表面が滑らかで高級感のある装飾面に形成されることが多くなっている。したがって、カバーの開閉動作時に汚れ除去部材によって操作部と共にパネル部の装飾面の汚れが除去されるようにすることで、改めて清掃しなくてもパネル部における装飾面の美観を良好に維持することができる。
【発明を実施するための最良の形態】
【００１７】
ａ．第１実施形態
以下、本発明の第１実施形態について図面を用いて説明する。図１は本発明による車両用操作部材の汚れ除去機構の第１実施形態を示す模式図であって、この車両用操作部材の汚れ除去機構は、タッチパネル操作部１１を被覆可能なカバー２１と、タッチパネル操作部１１を清掃可能な汚れ除去部材３１とを備えている。
【００１８】
タッチパネル操作部１１（操作部）は、周知のタッチセンサが組み込まれた操作面１１ａを備えており、液晶ディスプレイ装置１０の表示面上に一体的に配置されている。タッチパネル操作部１１の周囲には、その操作面１１ａから僅かに突出した形状をなし装飾面１２ａを有するパネル部１２が設けられている。
【００１９】
カバー２１は、液晶ディスプレイ装置１０の側壁を挟んで対向配置された一対のリンク２２を介して軸２３と一体的に連結されている。軸２３は、図１（ａ）にて紙面に対して垂直方向に延設されており、カバー２１が、手動操作により軸２３の軸線回りに回動可能に設けられている。カバー２１は、タッチパネル操作部１１の操作面１１ａに比して僅かに小さい曲率の円弧形状をなし、例えば金属、硬質樹脂などで形成されている。このカバー２１は、図１（ａ）に示すように、タッチパネル操作部１１の使用時にて同操作部１１およびパネル部１２を開状態とするように図示を省略するインストルメントパネル内の所定の収納位置に向けて開動作され、図１（ｂ）に示すように、タッチパネル操作部１１の未使用時にて同操作部１１およびパネル部１２を閉状態とするように所定の被覆位置に向けて閉動作される。
【００２０】
汚れ除去部材３１は、カバー２１のタッチパネル操作部１１側の先端部に設けられている。汚れ除去部材３１は、タッチパネル操作部１１の操作面１１ａ、およびパネル部１２の装飾面１２ａに付着した埃、塵、指紋などを除去可能な例えばフェルトなどの不織布、化繊クロスなどで形成されていて、タッチパネル操作部１１の幅長とほぼ同じ長さに形成されるとともに、タッチパネル操作部１１の操作面１１ａ、およびパネル部１２の装飾面１２ａと摺接可能な所定の厚みに形成されている。
【００２１】
上記のように構成した第１実施形態においては、タッチパネル操作部１１の使用時にはカバー２１が押し上げられて収納位置に収納されており、操作面１１ａが開状態にある（図１（ａ）参照）。これにより、タッチパネル操作部１１の操作面１１ａを直接タッチ操作することができ、操作フィーリングが良好に確保される。
【００２２】
タッチパネル操作部１１の使用後には、カバー２１を被覆位置に向けて引き降ろす（図１（ｂ）参照）。このとき、汚れ除去部材３１がパネル部１２の装飾面１２ａ、およびタッチパネル操作部１１の操作面１１ａと摺接して、装飾面１２ａおよび操作面１１ａに付着した汚れ、指紋等が適切に除去される。これにより、タッチパネル操作部１１およびパネル部１２の美観が良好に維持される。
【００２３】
タッチパネル操作部１１の未使用時にはカバー２１が被覆位置にあり、タッチパネル操作部１１およびパネル部１２が閉状態にある。これにより、タッチパネル操作部１１およびパネル部１２に埃、塵等が付着することが防止される。
【００２４】
なお、上記第１実施形態では、カバー２１がリンク２２と軸２３により回動可能に設けられるように構成したが、これに代えて、例えばラックとピニオンによりカバー２１が回動可能に設けられるように構成してもよい。
【００２５】
ｂ．第２実施形態
上記第１実施形態では、比較的硬くて一定の形状を有するカバー２１を用いたが、これに代えて、例えば図２に示すように、タッチパネル操作部１１の操作面１１ａおよびパネル部１２の装飾面１２ａに沿うように曲率が自由に変わる可撓性を有する材料、またはタッチパネル操作部１１の操作面１１ａおよびパネル部１２の装飾面１２ａに沿ってフレキシブルに形状が変わるように複数の矩形状の硬材を繋ぎ合わせて形成したカバー１２１を用いても、上記第１実施形態と同様の効果が得られる。なお、その他の構成は上記第１実施形態と同様であるため、上記第１実施形態と同じ部材、同じ機能を果たす部分には同一の符号を付して、詳細な説明は省略する。
【００２６】
（変形実施形態）
上記第２実施形態では、カバー１２１が収納位置にて拘束されないように構成したが、これに代えて例えば図３に示すように、カバー１２１が収納位置にて巻き取り機構１２２により巻き取られる構成としてもよい。この変形実施形態によれば、カバー１２１が占めるスペースを小さく設定することが可能である。なお、その他の構成は上記第２実施形態と同様であるため、上記第２実施形態と同じ部材、同じ機能を果たす部分には同一の符号を付して、詳細な説明は省略する。
【００２７】
ｃ．第３実施形態
上記第１実施形態および第２実施形態等では、タッチパネル操作部１１を有する操作部材に本発明を適用したが、これに代えて、例えば図４に示すように、ボタン操作部としての押しボタン操作部１１１を有する操作部材に本発明を適用してもよい。なお、その他の構成は上記第２実施形態の変形実施形態と同様であるため、上記変形実施形態と同じ部材、同じ機能を果たす部分には同一の符号を付して、詳細な説明は省略する。
【００２８】
この第３実施形態においても、上記第２実施形態の変形実施形態と同様、押しボタン操作部１１１の使用時には、図４（ａ）に示すように、カバー１２１が押し上げられて巻き取り機構１２２により巻き取られている。これにより、押しボタン操作部１１１の操作面１１１ａを直接押動操作することができ、操作フィーリングが良好に確保される。
【００２９】
押しボタン操作部１１１の使用後には、カバー１２１を被覆位置に向けて引き降ろす。汚れ除去部材３１は、図４（ｂ）に示すように、パネル部１１２の装飾面１１２ａと摺接して装飾面１１２ａに付着した汚れを除去する。この場合、汚れ除去部材３１として、例えば比較的硬い特性の不織布や化繊クロス、またはゴムなどを用いると、汚れ除去部材３１が押しボタン操作部１１１を押し込みながら押しボタン操作部１１１の操作面１１１ａを乗り越えるようになる。
【００３０】
すなわち、この第３実施形態によれば、押しボタン操作部１１１の押し込み動作分を見込んで、汚れ除去部材３１として比較的硬い特性の素材を用いることができ、汚れ除去部材の選択範囲を拡大することが可能となる。押しボタン操作部１１１の未使用時には、図４（ｃ）に示すように、カバー１２１が被覆位置にあり、押しボタン操作部１１１およびパネル部１１２が閉状態にある。これにより、押しボタン操作部１１１およびパネル部１１２埃、塵等が付着することが防止される。
【００３１】
ｄ．第４実施形態
上記第３実施形態では、押しボタン操作部１１１の押し込み動作分を見込んで、汚れ除去部材３１として比較的硬い特性の素材を用いることができた。しかし、押しボタン操作部の種類によっては、押し込み動作のために大きな負荷が必要となるものがあり、汚れ除去部材３１が押しボタン操作部を押し込むことができない場合がある。また、操作部内には、押しボタン操作部に加えて、突出した形態のボタン操作部として機能するツマミ操作部などが併せて設置されることが多い。
【００３２】
この第４実施形態は、押し込み動作のために大きな負荷が必要となるタイプの押しボタン操作部２１１、または突出した形態のツマミ操作部に付着した汚れの除去、新たな汚れの付着を防止するように構成されている。この場合に用いられる汚れ除去部材１３１としては、比較的硬い特性の汚れ除去部材３１に比して大きく変形可能であるもの、例えばスポンジなどの弾性体、ブラシなどの刷毛が好適に用いられる。なお、その他の構成は上記第３実施形態と同様であるため、上記第３実施形態と同じ部材、同じ機能を果たす部分には同一の符号を付して、詳細な説明は省略する。
【００３３】
押しボタン操作部２１１の使用時には、図５（ａ）に示すように、カバー１２１が押し上げられて巻き取り機構１２２により巻き取られている。押しボタン操作部２１１の使用後には、カバー１２１を被覆位置に向けて引き降ろす。汚れ除去部材１３１は、図５（ｂ）に示すように、パネル部１１２の装飾面１１２ａと摺接して装飾面１１２ａの汚れを除去する。そして、汚れ除去部材１３１は、図５（ｃ）に示すように、変形しながら押しボタン操作部２１１の操作面２１１ａを乗り越える。押しボタン操作部２１１の未使用時には、図５（ｄ）に示すように、カバー１２１が被覆位置にあり、押しボタン操作部２１１およびパネル部１１２を閉状態とする。この第４実施形態によれば、押し込み動作に必要な負荷が大きい押しボタン操作部２１１や突出した形態のツマミ操作部などのボタン操作部に付着した汚れを除去することができ、また新たな汚れの付着を防止することができる。
【００３４】
ｅ．第５実施形態
上記第４実施形態では、汚れ除去部材１３１として、大きな変形が可能であるものを用いることで、押し込み動作に必要な負荷が大きい押しボタン操作部２１１や突出した形態のツマミ操作部などのボタン操作部に付着した汚れを除去することができた。しかし、上記第３実施形態で用いたような比較的硬い特性の汚れ除去部材３１を用いて実施することも可能である。なお、その他の構成は上記第４実施形態と同様であるため、上記第４実施形態と同じ部材、同じ機能を果たす部分には同一の符号を付して、詳細な説明は省略する。
【００３５】
この第５実施形態では、一対のガイド部材１２３が、図６（ｂ），図６（ｃ）にて二点鎖線で示すように、押しボタン操作部２１１の幅方向両側部に設置されている。ガイド部材１２３は、カバー１２１の軌道を押しボタン操作部２１１上にて迂回させるように構成されている。すなわち、カバー１２１の軌道は、ガイド部材１２３により汚れ除去部材３１を押しボタン操作部２１１の操作面２１１ａに沿って摺動可能に設定されている。
【００３６】
この第５実施形態によれば、比較的硬い材質の汚れ除去部材３１を用いて、押し込み動作に必要な荷重が大きい押しボタン操作部２１１や突出した形態のツマミ操作部などのボタン操作部に付着した汚れを除去することができ、また新たな汚れの付着を防止することができる。
【００３７】
ｆ．第６実施形態
上記第３〜５実施形態では、未使用時においても突出した状態にある押しボタン操作部１１１，２１１を用いたが、これに代えて、例えば図７（ａ），図７（ｂ）に示すように、使用時には突出した状態の使用位置にあり、未使用時には格納部３１３内の格納位置に格納される格納型ボタン操作部３１１を用いて実施することも可能である。
【００３８】
格納型ボタン操作部３１１は、使用位置にある状態で端面３１１ａを所定位置まで押し動かすことで格納機構３１４の機能により格納部３１３内に保持され、格納部３１３内にある状態で端面３１１ａを軽く押すことで使用位置に向けて復帰動作する。この格納型ボタン操作部３１１の操作側面３１１ｂは、例えばセレーションが形成され、さらにメッキ処理が施されて装飾面が形成されるとともに、操作側面３１１ｂが操作の際のツマミ部として機能する。格納部３１３の開口端には、側面汚れ除去部材２３１が設けられている。側面汚れ除去部材２３１は、円環状をなし、上記汚れ除去部材３１と同様、不織布等で形成されている。
【００３９】
この第６実施形態では、格納型ボタン操作部３１１の使用後、同操作部３１１が使用位置から格納位置に向けて動作するとき、または使用開始時に同操作部３１１が格納位置から使用位置に向けて動作するとき、側面汚れ除去部材２３１が格納型ボタン操作部３１１の操作側面３１１ｂと摺接するので、格納型ボタン操作部３１１の操作側面３１１ｂに付着した汚れ、指紋等が適切に除去される。
【００４０】
ｇ．第７実施形態
上記第６実施形態では、側面汚れ除去部材２３１が格納型ボタン操作部３１１の操作側面３１１ｂの汚れを除去するように構成したが、これに加えて、例えば図８（ａ）に示すように、上記第３実施形態等で使用したカバー１２１、巻き取り機構１２２および汚れ除去部材３１を用いて実施してもよい。この第７実施形態によれば、図８（ｂ）に示すように、カバー１２１の開閉動作に伴って、汚れ除去部材３１によりパネル部２１２の装飾面２１２ａ、および格納型ボタン操作部３１１の端面３１１ａ（装飾面としても機能）に付着した指紋等の汚れが除去される。そして、図８（ｃ）に示すように、カバー１２１が被覆位置にある状態では、格納型ボタン操作部３１１およびパネル部２１２が完全に閉状態となって、装飾面２１２ａおよび端面３１１ａに埃、塵等が付着することが防止される。
【００４１】
上記実施形態等においては、カバー１２１が手動で開閉動作されるように構成したが、巻き取り機構１２２または格納機構３１４に電動アクチュエータを用いて、例えばイグニッションスイッチのオンによりカバー１２１が電動アクチュエータの駆動により開状態となり、イグニッションスイッチのオフによりカバー１２１が電動アクチュエータの駆動により閉状態となるように構成することも可能である。また、これに加えてまたは代えて、電動アクチュエータを駆動するためのマニュアルスイッチを設けてもよい。
【００４２】
上記実施形態等では、汚れ除去部材３１，１３１をカバー２１，１２１の一箇所に設けたが、カバー２１，１２１の複数箇所に設けてもよい。また、一つのカバー２１，１２１にそれぞれ特性の異なる汚れ除去部材を組み合わせて使用するようにすれば、埃、指紋、油汚れなどの多種類の汚れを効果的に除去することが可能である。
【００４３】
また、上記実施形態等では、操作部として、タッチ操作部１１、押しボタン操作部１１１，２１１、ツマミ操作部、格納型ボタン操作部３１１を用いたが、これら以外の操作部についても広く適用することが可能である。
【図面の簡単な説明】
【００４４】
【図１】（ａ）は、本発明の第１実施形態に係り、操作部の使用時における汚れ除去機構の動作状態を示す説明図。（ｂ）は、本発明の第１実施形態に係り、操作部の未使用時における汚れ除去機構の動作状態を示す説明図。
【図２】（ａ）は、本発明の第２実施形態に係り、操作部の使用時における汚れ除去機構の動作状態を示す説明図。（ｂ）は、本発明の第２実施形態に係り、操作部の未使用時における汚れ除去機構の動作状態を示す説明図。
【図３】（ａ）は、本発明の第２実施形態の変形実施形態に係り、操作部の使用時における汚れ除去機構の動作状態を示す説明図。（ｂ）は、本発明の第２実施形態の変形実施形態に係り、操作部の未使用時における汚れ除去機構の動作状態を示す説明図。
【図４】（ａ）は、本発明の第３実施形態に係り、操作部の使用時における汚れ除去機構の動作状態を示す説明図。（ｂ）は、本発明の第３実施形態に係り、汚れ除去機構による汚れ除去中の動作状態を示す説明図。（ｃ）は、本発明の第３実施形態に係り、操作部の未使用時における汚れ除去機構の動作状態を示す説明図。
【図５】（ａ）は、本発明の第４実施形態に係り、操作部の使用時における汚れ除去機構の動作状態を示す説明図。（ｂ），（ｃ）は、本発明の第４実施形態に係り、汚れ除去機構による汚れ除去中の動作状態を示す説明図。（ｄ）は、本発明の第４実施形態に係り、操作部の未使用時における汚れ除去機構の動作状態を示す説明図。
【図６】（ａ）は、本発明の第５実施形態に係り、操作部の使用時における汚れ除去機構の動作状態を示す説明図。（ｂ）は、本発明の第５実施形態に係り、汚れ除去機構による汚れ除去中の動作状態を示す説明図。（ｃ）は、本発明の第５実施形態に係り、操作部の未使用時における汚れ除去機構の動作状態を示す説明図。
【図７】（ａ）は、本発明の第６実施形態に係り、使用位置にある操作部を示す説明図。（ｂ）は、本発明の第６実施形態に係り、格納位置にある操作部を示す説明図。
【図８】（ａ）は、本発明の第７実施形態に係り、使用位置にある操作部を示す説明図。（ｂ），（ｃ）は、本発明の第７実施形態に係り、格納位置にある操作部を示す説明図。
【符号の説明】
【００４５】
１０  液晶ディスプレイ装置（操作部材）
１１  タッチパネル操作部（操作部）
１１ａ，１１１ａ，２１１ａ  操作面
１２，１１２，２１２  パネル部
１２ａ，１１２ａ，２１２ａ  装飾面
２１，１２１  カバー
２２  リンク
２３  軸
３１，１３１  汚れ除去部材
１１１，２１１  押しボタン操作部（操作部、ボタン操作部）
１２２  巻き取り機構
１２３  ガイド部材
２３１  側面汚れ除去部材
３１１  格納型ボタン操作部（操作部、ボタン操作部）
３１１ａ  端面
３１１ｂ  操作側面
３１３  格納部
３１４  格納機構
【図１】
2008235194.tif 000003
【図２】
2008235194.tif 000004
【図３】
2008235194.tif 000005
【図４】
2008235194.tif 000006
【図５】
2008235194.tif 000007
【図６】
2008235194.tif 000008
【図７】
2008235194.tif 000009
【図８】
2008235194.tif 000010